(57)【要約】  シェーバーは、細長い把持部分と取付部分とを有するハンドルと、取付部分に取り付けられたシェーバーヘッドと、を備える。取り外し可能なカートリッジは、その回転ロックを介してシェーバーヘッドに取り付けられる。回転ロックは、カートリッジの刃の長さに平行な軸の周りを回転するように適合され、従って、中立位置と回転した位置とを規定し、回転した位置における回転ロックは、シェーバーヘッドからカートリッジを解除する。
2016500314.tif 000002
【特許請求の範囲】
【請求項１】
細長い把持部分と取付部分（２２）とを有するハンドル（２０）と、
前記取付部分に取り付けられているシェーバーヘッド（４０）と、
少なくとも１つの刃（６３）を備える取り外し可能なカートリッジ（６０）であって、前記少なくとも１つ刃（６３）は、所定長を有し、前記カートリッジ（６０）は、前記シェーバーヘッド（４０）に取り付け、かつ、前記シェーバーヘッド（４０）から取り外されるように適合されている、カートリッジ（６０）と、
前記シェーバーヘッド（４０）に設けられる回転ロック（４５）であって、前記回転ロック（４５）は、前記カートリッジ（６０）を前記シェーバーヘッド（４０）に取り外し可能に取り付けるように適合される、回転ロック（４５）と、
を備えるシェーバーであって、
前記回転ロック（４５）は、前記少なくとも１つの刃（６３）の長さに平行な軸の周りを回転するように適合され、これにより、中立位置と回転した位置とを規定し、
前記中立位置における前記回転ロック（４５）は、前記カートリッジ（６０）を前記シェーバーヘッド（４０）に取り付け、前記回転した位置における前記回転ロック（４５）は、前記カートリッジ（６０）を前記シェーバーヘッド（４０）から解除することを特徴とするシェーバー。
【請求項２】
前記シェーバーヘッドは、前記取付部分（２２）に回動可能に取り付けられることを特徴とする請求項１に記載のシェーバー。
【請求項３】
前記シェーバーヘッド（４０）は、シェービング方向において前記少なくとも１つの刃の前に位置する底部（４６）をさらに備え、前記回転ロック（４５）は、前記底部（４６）に設けられることを特徴とする請求項１または２に記載のシェーバー。
【請求項４】
前記シェーバーヘッドは、一対の保持ペグ（４２Ｂ）をさらに備え、前記保持ペグ（４２Ｂ）は、前記回転ロック（４５）の回転を容易にすることを特徴とする請求項１〜３のいずれか一項に記載のシェーバー。
【請求項５】
前記カートリッジ（６０）は、シェービング方向に平行な方向に放出されることを特徴とする請求項１〜４のいずれか一項に記載のシェーバー。
【請求項６】
前記回転ロック（４５）は、回転バーとして設けられることを特徴とする請求項１〜５のいずれか一項に記載のシェーバー。
【請求項７】
前記回転ロック（４５）は、
１つの細長体と、
シェービング面から離れる方向に突出する、少なくとも１つの突出部（４５Ａ）と、
前記細長体の両端に位置し、かつ、前記シェーバーヘッド（４０）に前記回転ロック（４５）を取り付けるように適合されている、一対の空洞（４５Ｂ）と、
少なくとも１つの保持空洞（４５Ｅ）と、
を備えることを特徴とする請求項１〜６のいずれか一項に記載のシェーバー。
【請求項８】
前記回転ロック（４５）は、
細長体と、
前記細長体の両端に位置し、かつ、前記シェーバーヘッド（４０）に前記回転ロック（４５）を取り付けるように適合されている、一対の空洞（４５Ｂ）と、
一対の保持空洞（４５Ｅ）と、
を備えることを特徴とする請求項５に記載のシェーバー。
【請求項９】
前記シェーバーヘッド（４０）は、戻りバネ（４６）をさらに備え、前記戻りバネは、前記回転ロック（４５）を中立位置に戻すように適合されていることを特徴とする請求項１〜８のいずれか一項に記載のシェーバー。
【請求項１０】
前記シェーバーヘッド（４０）は、少なくとも１つの放出ボタン（５１）をさらに備え、前記放出ボタン（５１）は、前記シェーバーヘッド（４０）から前記カートリッジ（６０）を放出するように適合されていることを特徴とする請求項１〜９のいずれか一項に記載のシェーバー。
【請求項１１】
前記シェーバーヘッド（４０）は、少なくとも１つの放出バネ（５２）をさらに備え、前記放出バネ（５２）は、前記少なくとも１つの放出ボタン（５１）と協働することを特徴とする請求項１０に記載のシェーバー。
【請求項１２】
前記ハンドル（２０）は、滑動可能なボタン（３０）をさらに備え、前記ボタンは、プッシャー（３１）を備えており、前記プッシャー（３１）は、前記回転ロック（４５）の突出部（４５Ａ）と接触するように適合されており、これにより、前記カートリッジ（６０）を解除することを特徴とする請求項１〜１１のいずれか一項に記載のシェーバー。
【請求項１３】
前記カートリッジ（６０）は、ホルダー（６５）をさらに備え、前記回転ロック（４５）の保持空洞（４５Ｅ）と、前記ホルダー（６５）とは、協働して前記カートリッジ（６０）を前記シェーバーヘッド（４０）に取り付けることを特徴とする請求項１〜１２のいずれか一項に記載のシェーバー。
【請求項１４】
前記シェーバーヘッド（４０）は、横壁（４２）をさらに備え、前記横壁（４２）は、ガイドトラック（４２Ａ）を備え、前記カートリッジは、横壁（６２）をさらに備え、前記横壁（６２）は、ガイドトラック（６２Ａ）を備えており、前記カートリッジの前記ガイドトラック（６２Ａ）は、前記シェーバーヘッド（４０）のガイドドラック（４２Ａ）と協働するように適合されることを特徴とする請求項１〜１３のいずれか一項に記載のシェーバー。
【請求項１５】
前記カートリッジ（６０）は、ホルダー（６５）を備え、前記ホルダー（６５）は、少なくとも１つのフックの形状を成すことを特徴とする請求項１〜１０のいずれか一項に記載のシェーバーに使用されるカートリッジ。
【請求項１６】
少なくとも１つの刃を備え、前記少なくとも１つの刃は移動可能に取り付けられることを特徴する請求項１５に吉舎のカートリッジ。
【請求項１７】
前記カートリッジ（６０）は、最上壁（６１）及びシェービング補助（６１Ａ）をさらに備え、前記シェービング補助（６１Ａ）は、前記最上壁（６１）に配置されることを特徴とする請求項１５または１６に記載のカートリッジ。
【請求項１８】
請求項１〜１３のいずれか一項に記載のシェーバー用のヘッド及びハンドル組立体であって、当該ヘッド及びハンドルの組立体は、
細長い把持部分と取付部分（２２）とを有するハンドル（２０）と、
カートリッジ（６０）を受容するように適合されているシェーバーヘッド（４０）であって、前記シェーバーヘッド４０は前記取付部分（２２）に取り付けられている、シェーバーヘッド（４０）と、
前記シェーバーヘッド（４０）に設けられた回転ロック（４５）であって、前記回転ロック（４５）は、前記カートリッジ（６０）を前記シェーバーヘッド（４０）に取り外し可能に取り付けるように適合されている、回転ロック（４５）と、
を備え、
前記回転ロック（４５）は、前記少なくとも１つの刃（６３）の長さに平行な軸の周りを回転するように適合され、これにより、中立位置と回転した位置とを規定し、
前記中立位置における前記回転ロック（４５）は、前記カートリッジ（６０）を前記シェーバーヘッド（４０）に取り付けるように適合され、前記回転した位置における前記回転ロック（４５）は、前記カートリッジ（６０）を前記シェーバーヘッド（４０）から解除するように適合されることを特徴とするシェーバー用のヘッド及びハンドルの組立体。
【請求項１９】
前記シェーバーヘッド（４０）は、前記取付部分（２２）に回動可能に取り付けられることを特徴とする請求項１８に記載のヘッド及びハンドルの組立体。
【請求項２０】
前記シェーバーヘッド（４０）は、底部（４６）をさらに備え、前記回転ロック（４５）は、前記底部（４６）に設けられることを特徴とする請求項１８または１９に記載のヘッド及びハンドルの組立体。
【請求項２１】
前記回転ロック（４５）は、
１つの細長体と、
シェービング面から離れる方向に突出する、少なくとも１つの突出部（４５Ａ）と、
前記細長体の両端に位置し、かつ、前記シェーバーヘッド（４０）に前記回転ロック（４５）を取り付けるように適合されている、一対の空洞（４５Ｂ）と、
少なくとも１つの保持空洞（４５Ｅ）と、
を備えることを特徴とする請求項１８〜２０のいずれか一項に記載のヘッド及びハンドルの組立体。
【請求項２２】
前記ハンドル（２０）は、滑動可能なボタン（３０）をさらに備え、前記ボタンは、プッシャー（３１）を備えており、前記プッシャー（３１）は、前記回転ロック（４５）の突出部（４５Ａ）と接触するように適合されており、これにより、前記カートリッジ（６０）を解除することを特徴とする請求項２１に記載のヘッド及びハンドルの組立体。
【発明の詳細な説明】
【技術分野】
【０００１】
本発明は交換式カートリッジを有するシェーバー、カートリッジ、このようなシェーバー用のヘッド及びハンドルの組立体に関する。
【０００２】
より具体的には、本発明は、シェーバーヘッドを保持するための取付部において終端する細長体を有するハンドルと、交換式シェービングカートリッジを収容するように適合されたシェーバーヘッドと、交換式シェービングカートリッジがシェーバーヘッドに装着され、かつ、放出されることを可能にするロック−リリース機構と、１つまたは複数の刃を含有する交換式カートリッジと、を備える。
【０００３】
このようなシェーバーによって、ハンドル及びシェーバーヘッドはそのまま再利用され得る一方で、刃が損耗すると、使用者がカートリッジを交換することが可能になる。
【背景技術】
【０００４】
シェーバーヘッドから取り外し可能な交換式刃カートリッジは、例えば特許文献１に開示されたものがあり、通常、使用者がカートリッジを押したり引っ張ったりして実際にカートリッジを交換する必要がある。
【先行技術文献】
【特許文献】
【０００５】
【特許文献１】欧州特許第２１９５１４５号明細書
【発明の概要】
【発明が解決しようとする課題】
【０００６】
これは、カートリッジを交換するために、使用者が、彼／彼女の指でカートリッジと接触する必要があることを意味する。従って、使用者の怪我のリスクが増える。
【課題を解決するための手段】
【０００７】
シェーバーが提供され、シェーバーは、細長い把持部分と取付部分とを有するハンドルと、取付部分に取り付けられているシェーバーヘッドと、少なくとも１つの刃を備える取り外し可能なカートリッジであって、少なくとも１つの刃は所定長を有し、カートリッジは、シェーバーヘッドに取り付けられ、かつ、シェーバーヘッドから取り外されるように適合されている、カートリッジと、シェーバーヘッドに設けられる回転ロックであって、回転ロックは、カートリッジをシェーバーヘッドに取り外し可能に取り付けるように適合される、回転ロックと、を備え、回転ロックは、少なくとも１つの刃の長さに平行な軸の周りを回転するように適合され、これにより、中立位置と回転した位置とを規定し、中立位置における回転ロックは、カートリッジをシェーバーヘッドに取り付け、回転した位置における回転ロックは、カートリッジをシェーバーヘッドから解除する。
【０００８】
いくつかの実施形態の１つは、１つまたは複数の下記の特徴を使用し得る：
シェーバーヘッドは、取付部分に回動可能に取り付けられ得る；
シェーバーヘッドは、底部をさらに備え、回転ロックは底部に設けられる；
シェーバーヘッドは、一対の保持ペグをさらに備え、保持ペグは、回転ロックの回転を容易にする；
カートリッジは、シェービングの方向と平行な方向に放出される；
回転ロックは、回転バーとして設けられる；
回転ロックは、細長体と、シェービング面から離れる方向に突出する、少なくとも１つの突出部と、細長体の両端に配置され、かつ、シェーバーヘッドに回転ロックを取り付けるように適合されている、一対の空洞と、少なくとも１つの保持空洞と、備える；
回転ロックは、細長体と、シェービング面から離れる方向に突出する、少なくとも１つの突出部と、細長体の両端に配置され、かつ、シェーバーヘッドに回転ロックを取り付けるように適合されている、一対の空洞と、一対の保持空洞と、備える；
シェーバーヘッドは、戻りバネをさらに備え、戻りバネは、回転ロックを中立位置に戻すように適合される；
シェーバーヘッドは、少なくとも１つの放出ボタンをさらに備え、放出ボタンは、シェーバーヘッドからカートリッジを放出するように適合される；
シェーバーヘッドは、少なくとも１つの放出バネをさらに備え、放出バネは、少なくとも１つの放出ボタンと協働する；
ハンドルは、滑動可能なボタンをさらに備え、このボタンは、プッシャーを備えており、プッシャーは、回転ロックの突出部と接触するように適合されており、これにより、カートリッジを解除する；
カートリッジは、ホルダーをさらに備え、回転ロックの保持空洞及びホルダーは、シェーバーヘッドにカートリッジを取り付けるように協働する；
シェーバーヘッドは、横壁をさらに備え、横壁は、ガイドトラックを備え、カートリッジは、横壁をさらに備え、横壁は、ガイドトラックを備え、かつ、カートリッジのガイドトラックは、シェーバーヘッドのガイドトラックと協働するように適合される。
【０００９】
本発明の別の態様において、カートリッジが設けられ、カートリッジはホルダーを備え、ホルダーは少なくとも１つのフックの形状を成す。
【００１０】
いくつかの実施形態の１つは、１つまたは複数の下記の機能を使用し得る：
カートリッジは、少なくとも１つの刃を備え、少なくとも１つの刃は、移動可能に取り付けられる；
カートリッジは、最上壁とシェービング補助とをさらに備え、シェービング補助は、最上壁に設けられる。
【００１１】
また、本発明の別の態様では、シェーバー用のヘッド及びハンドルの組立体が提供され、ヘッド及びハンドルの組立体は、細長い把持部分と取付部分とを有するハンドルと、カートリッジを受容するように適合されるシェーバーヘッドであって、シェーバーヘッドは取付部分に取り付けられる、シェーバーヘッドと、シェーバーヘッドの設けられる回転ロックであって、回転ロックは、シェーバーヘッドにカートリッジを移動可能に取り付けるように適合される、回転ロックと、を備え、回転ロックは、少なくとも１つの刃の長さに平行な軸の周りを回転するように適合され、これにより、中立位置と回転した位置とを規定し、中立位置における回転ロックは、カートリッジをシェーバーヘッドに取り付けるように適合され、回転した位置における回転ロックは、カートリッジをシェーバーヘッドから解除するように適合される。
【００１２】
いくつかの実施形態の１つは、１つまたは複数の下記の特徴を使用し得る：
シェーバーヘッドは、取付部分に回動可能に取り付けられ得る；
シェーバーヘッドはボタン部をさらに備え、回転ロックはボタン部に設けられる；
回転ロックは、細長体と、シェービング面から離れる方向に突出する、少なくとも１つの突出部と、細長体の両端に配置され、かつ、シェーバーヘッドに回転ロックを取り付けるように適合されている、一対の空洞と、少なくとも１つの保持空洞と、備える；
ハンドルは、滑動可能なボタンをさらに備え、このボタンは、プッシャーを備えており、プッシャーは、回転ロックの突出部と接触するように適合され、これにより、カートリッジを解除する。
【００１３】
これらの特徴を有すると、カートリッジをシェーバーヘッドから取り外される際に、それはシェーバーヘッドからより簡単に放出される。使用者は、カートリッジを押したり、引っ張ったりする必要はなく、使用者の怪我のリスクが低減される。さらに、刃が損耗した際に、シェーバーヘッド全体を交換する代わりにカートリッジのみが取り換えられるため、このようなシェーバーのコストは低く抑えられる。さらに、カートリッジのみが取り換えられるため、シェーバーは、より簡単に製造できると同時により環境にやさしい。交換されるための材料の量（及び捨てられる量）が低減される。
【００１４】
本発明の他の特徴及び利点は、非限定的な例として添付図と共に提供される、その実施形態の１つの下記の説明からすぐに明らかになるだろう。
【図面の簡単な説明】
【００１５】
【図１ａ】前側からのシェーバーの全体図を示す図である。
【図１ｂ】後側からのシェーバーの全体図を示す図である。
【図２ａ】ハンドルの前部分を示す図である。
【図２ｂ】カム従動子及びばねを有するハンドルの前部分を示す図である。
【図３ａ】カートリッジの挿入の際のカートリッジ及びシェーバーヘッドの前面図である。
【図３ｂ】線Ｉｂに沿って、戻りバネを通過するシェーバーヘッドの断面を示す図である。
【図３ｃ】線Ｉｃを沿って、カートリッジをシェーバーヘッド取り付ける機能を通過するシェーバーの断面を示す図である。
【図３ｄ】線Ｉｄに沿って、回転バーに設けられた突出部を通過するシェーバーヘッドの断面を示す図である。
【図４ａ】前面から見た、カートリッジなし、かつ、移動可能な構成部品なしのシェーバーヘッドを示す図である。
【図４ｂ】回転ロックの詳細を示す図である。
【図４ｃ】前面から見た、回転ロックなしのシェーバーヘッドを示す図である。
【図４ｄ】前面から見た、組み立てられた際のシェーバーヘッドを示す図である。
【図４ｅ】後面から見た、組み立てられた際のシェーバーヘッドを示す図である。
【図５】カートリッジの後面図である。
【図６ａ】シェーバーヘッドの展開図である。
【図６ｂ】シェーバーヘッド展開図である。
【図７ａ】ボタンの上面を示す図である。
【図７ｂ】ボタンの全体図である。
【発明を実施するための形態】
【００１６】
異なる図において、同一の符号が同じまたは同様の要素を示す。
【００１７】
図１ａ及び図１ｂは、本発明におけるシェーバーの例を示す。シェーバーは、ハンドル２０、シェーバーヘッド４０、及び、１つまたは複数の刃６３に適合するカートリッジ６０を示す。図に示される例では、４つの刃がある。しかしながら、カートリッジは、より多くまたはより少ない刃を使用し得る。
【００１８】
（図３ａ及び図５に示される）カートリッジ６０は、最上壁６１、２つの横壁６２、底壁６７、及び、後面構造６８（図５に詳細に示される）を有するフレームとして形成される。カートリッジ６０のフレームは、プラスチックから形作られ、好ましくは、一体である。刃６３は、最上壁６１と底壁６７とに平行に、横壁６２の間に延在する。刃６３は、曲げられたシート材料から作られ得、それらは、真っ直ぐに、刃支持部（図示せず）で支持され得る。刃６３及び／または刃支持部６３Ａは、次いで、横壁６２内に設けられたシート（図示せず）内に収容される。さらに、刃は、例えば、移動可能に配置され得る。横壁６２には、刃６３に平行な方向において、カートリッジフレームの内側に向けて延在する弾性フィンガーが設けられ得る。刃６３は、一対の曲げられた金属片６６におってカートリッジ内に保持され得る。金属片６３は、刃６３の両端を取り囲み、これにより、所定位置にそれらを保持する。最上壁６１には、通常。刃の両端によって画定される平面内に位置するシェービング補助６１Ａが設けられる。別の実施形態では、刃は固定され得る。
【００１９】
ハンドル２０は、リブ、ペグ、エラストマー部品、及び同類物などの、使用者の把持を強化し、滑らすことを防ぐ機能が設けられ得る、細長い把持部分（図示せず）を有する。ハンドル２０は、好ましくは、プラスチック材料から形作られる。ハンドル２０は、図２に示すようにハンドルから延在する２つのヨーク２１で終端する。ヨーク２１は、軸受胴２２の形状において設けられ得る設置部分内で終わる。次いで、軸受胴２２は、シェーバーヘッド４０に設けられた補助的なくぼみ４１と協働する。軸受胴２２及び補助的なくぼみ４１は共にシェーバーヘッド４０が刃６３の長さに平行な軸の周りを回動することを可能にする。または、軸受胴２２は、ヒンジ、ピン、または他の回動手段によって置き換えられ、シェーバーヘッド４０は、回動手段が全くなしでハンドル２０に取り付けられてもよい。本明細書では、回動ヘッドだけが説明される。
【００２０】
ヨーク２１はヨーク２１間に間隙２３を画定する。間隙２３はカム従動子２４を収容する。カム従動子２４は分岐端を有し、２つのブランチがシェーバーヘッド４０の後壁４３に設けられた台４３Ａと協働し、これにより、シェーバーヘッド４０が中立位置に戻ることを可能にする。カム従動子２４は、好ましくは金属で作られるコイルバネ３６によって作動する。
【００２１】
シェーバーヘッド４０の例が、図３ａ〜図３ｄ、図４ａ〜図４ｅ、図６ａ、及び、図６ｂに示される。シェーバーヘッドは、後壁４３、底部４６、及び、横壁４２を備える。前壁４２は、好ましくはエラストマー材料で作られた素子またはガード（図示せず）を係合するスキンを含み得る。後壁４３は、ハンドル２０の端部に位置する軸受胴２２を収容するくぼみ４１を備える。後壁４３にもカム従動子２４と協働する台４３Ａがある。
【００２２】
シェーバーヘッド４０は、カートリッジ６０が収容され得る台座を形成する（このような台座の詳細は図３ａ及び図４ｄに示される）。カートリッジ６０は、好ましくは、図３ａに示すように、通常、シェービング方向に底部４６に対向する側から挿入される。鉾壁４２は、横壁４２の内側に溝のように形成されたガイドトラック４２Ａを含む。カートリッジ６０がシェーバーヘッド内に挿入されると、ガイドトラック４２Ａが、カートリッジ６０の横壁６２の突出部として設けられたガイドトラック６２Ａと接触して、カートリッジ６０がその台座に案内される。従って、カートリッジ６０の間違った挿入のリスクは低減される。
【００２３】
シェーバーヘッド４０の底部４６は、底壁４６Ａと台座壁４６Ｂとの間に位置する。底部４６は、シェーバーヘッド４０にカートリッジ６０を取り付けるように適合された把持機構を備える。把持機構は、カートリッジ６０を装着し、保持し、かつ、放出する。機構は、好ましくは、回転ロック４５及び一対の台座壁４６Ｂを備える。回転ロック４５は、シェービングガード（示されていない異形）の後ろに設けられ、それ自体がシェービングガードの少なくとも一部を成し得る。図に示される例では、回転ロックは、ガードバーとして機能し得る、一体の回転バーとして設けられる。しかしながら、他の可能性がある。回転ロックは、ガイドバーとして機能する回転バーの形状の際に、例えば、フィンを有する共射出成形部品として設けられ得る。回転ロックは、また、一体でなく複数の部材で設けられ得る。回転ロックは、回転軸の周りを固体物体として回転し得る。回転ロックは、また、回転バーの一部だけが実際に回転する、ねじり運動を実行し得る。
【００２４】
機構は、少なくとも１つの放出ボタン５１、少なくとも１つの放出バネ５２、及び、少なくとも１つの戻りバネ５６をさらに備え得る。底部４６は、戻りバネ５６を収容するスロット５４をさらに備え得る。底部４６は、好ましくは、放出ボタン５１及び放出バネ５２を収容する、複数の空洞５７をさらに備え得、空洞５７の数は、好ましくは、放出ボタン５１及び放出バネ５２の数と一致する。台座壁４６Ｂは、好ましくは、少なくとも１つの台座スロット５５を備える。ボタン部４６は、好ましくは、少なくとも１つの後開口５３をさらに備える。
【００２５】
図３ｂ〜３ｄ、図４ａ〜４ｅ、６ａ、及び、６ｂに示される例では、把持機構は、一対の放出ボタン５１、一対の放出バネ５２、１つの戻りバネ５６、一対の台座スロット５５、及び、一対の後開口５３を備える。放出バネ５２は、コイルバネの形状で設けられるが、板バネや他のものに取り換えられ得る。戻りバネ５６は、板バネとして設けられる。また、戻りバネ５６は、１つまたは複数のらせんまたは非線形バネなどの形状で設けられ得る。
【００２６】
シェーバーヘッド４０の底部４６の近接する、シェーバーヘッドの横壁４２の底部には、一対の開口４２Ｃが位置する。開口４２Ｃは、好ましくは、円形であり、かつ、シェーバーヘッドの底壁４６と平行な軸を形成するように位置決めされる。軸も、刃の長さに平行であり、かつ、回動軸に平行である。開口５２Ｃそれぞれには、保持ペグ４２Ｂが設けられる。また、保持ペグ４２Ｂは、好ましくは、円形基部を有する、全体的に円筒の形状を有し得る。また、保持ペグ４２Ｂは、正方形、矩形、三角形などの形状の基部を有する突出部などの、軸回転を可能にする任意の適切な形状であり得る。保持ペグ４２Ｃは、開口４２Ｃによって画定される軸の方向において、シェーバーヘッド４０の底部の内側に向かって突出し、好ましくは、保持ペグ４２Ｃは、シェーバーヘッド４０の外側に向かって突出しない、すなわち、シェーバーヘッド４０の横壁４２の外縁によって画定される面より上に突出しない。保持ペグ４２Ｃは、好ましくは、プラスチックで作られる。また、保持ペグ４２Ｃは金属で作られ得る。
【００２７】
台座壁４６Ｂから、一対の放出ボタン５１が突出する。放出ボタンは、シェーバーヘッドのボタン部４６内に設けられる、対応する空洞５７内に収容される。ボタン５１は、（図６ａ及び図６ｂに示すように）一般的に円筒形状である。台座壁４６Ｂから突出する端部は、好ましくは、閉じている。ボタン壁４６Ａの近接部は開いている。放出ボタン５１の内側に空洞は形成される。コイルバネ５２は、底壁４６Ａに取り付けられる。コイルバネ５２は、放出ボタン５１に復元力を与える。放出ボタン５１のボタン壁４６Ａに近接する部分には、通常、シェーバーヘッド４０の横壁４２に向けた方向に突出する、一対の突出部５１Ａが設けられ得る。突出部５１Ａは、放出ボタン５１の位置を中央にするのに役立つ。また、それらは、放出ボタン及びコイルバネ５２の偶然のねじれを防止するのにも役立つ。放出ボタン５１は、好ましくはプラスチックで作られる。コイルバネ５２は、好ましくは、金属で作られる。
【００２８】
台座壁４６Ｂは、台座スロット５５をさらに備える。スロット５５は、好ましくは、放出ボタン５１に近接して設けられる。以下に説明するように、カートリッジ６０がシェーバーヘッド４０内に挿入されると、カートリッジ６０に設けられた保持機能６５が台座スロット５５を貫通し、回転バー４５に保持される。
【００２９】
シェーバーヘッド４０の底部４６は、後開口５３をさらに備える。後開口５３は、シェーバーヘッド４０の後壁４３を貫通する。
【００３０】
好ましくは、放出ボタン５１、台座スロット５５、及び、後開口５３は、刃６３によって画定されるシェービング面に垂直な面に対して対称的に配置される。
【００３１】
シェーバーヘッド４０の底部４６は、スロット５４をさらに備える。好ましくは、スロット５４は、後開口５３間に配置される。スロット５４内に、板バネ５６が挿入される。板バネ５６は、部分的にのみ挿入され、これにより、板バネ５６はスロット５４からシェーバーヘッド４０の内側に向かって突出する。板バネ５６（図６ａ及び図６ｂに示される）は、矩形の形状を成す。板バネ５６は、好ましくは、金属で作られるが、プラスチックまたは弾性を有する材料などの任意の適切な材料で作られ得る。
【００３２】
シェーバーヘッドの底部４６は回転バー４５をさらに備える。図４ｂに示す回転バー４５の例では、回転バー４５は、細長い円筒体の全体形状を成す。または、円筒状の細長体の代わりに、それは、三角形、矩形、楕円などの断面を有する細長体の形状で設けられることも可能である。
【００３３】
細長体の各端部には、保持ペグ４２Ｂの１つを収容するように適合された空洞４５Ｂがある。保持ペグ４２Ｂは、次いで、シェーバーヘッド４０の底部４６の内側の回転バー４５を把持し、かつ、回転バー４５の回転をも促す。保持ペグ４２Ｂによって画定された軸は、次いで、回転バー４５の回転軸になる。
【００３４】
好ましくは、回転バー４５の中間部に、空洞４５Ｃが設けられる。空洞４５Ｃは、回転バー４５の長さの約４分の１〜３分の１に沿って亘る、くさび状（wedge）の全体形状を成す。空洞４５Ｃの頂上は、板バネ５６と協働する。板バネ５６が挿入される際、それは回転バーとシェーバーヘッド４０の底部４６とを連結する。回転バー４５が中立位置から回転する際、板バネ５６はそれ自体が張力を受けており、従って、板バネ５６が回転バー４５をその中立位置に戻す。
【００３５】
回転バー４５には、少なくとも１つの突出部４５Ａが設けられる。好ましくは、一対の突出部４５Ａがある。突出部４５Ａは、好ましくは、空洞４５Ｃに近接して配置される。突出部４５Ａは、好ましくは、少なくとも１つの平坦面を有する。突出部４５Ａは、後開口５３に挿入され、かつ、後壁４３によって画定された平面より上に突出する。後開口５３は、通常、シェービングの方向と平行な方向において、突出部４５Ａの移動が可能なぐらいに幅広い。従って、開口５３の数は、好ましくは、突出部４５Ａの数と一致する。
【００３６】
回転バー４５は、少なくとも１つのくぼみ４５Ｄをさらに備える。くぼみ４５Ｄの数は、好ましくは、放出ボタン５１の数と一致する。好ましくは、一対のくぼみ４５Ｄがある。くぼみ４５Ｄは、放出ボタン５１及びコイルバネ５２を収容するように適合される。くぼみ４５Ｄは、好ましくは、突出部５１Ａが設けられた際、放出ボタン５１が回転する、かつ、ねじれることを防止されるような形状を成す。
【００３７】
回転バー４５には、少なくとも１つの保持空洞４５Ｅも設けられる。保持空洞の数は、台座スロット５５の数と一致する。好ましくは、一対の保持空洞４５Ｅがある。保持空洞４５Ｅは、台座スロット５５と揃えて位置決めされるように配置される。台座壁４６Ｂに近接して配置される、一対の保持空洞４５Ｅには、把持部分４５Ｆが設けられる。保持部分４５Ｆは、カートリッジ６０上の保持機能６５に適合する小さなフックの一部であり得る。
【００３８】
カートリッジ６０は、保持機能６５をさらに備える底壁６７を備える。図３ａ及び図５に示される例では、保持機能は、底壁６７から下方に突出する、一対のフック６５を形成する。通常、フック６５の数は、シェーバーヘッド４０の台座壁４６Ｂに設けられた台座スロット５５の数と一致し、また、回転バー４５に設けられた保持空洞４５Ｅの数とも一致する。図３ａ及び図５の例のフック６５は、通常Ｌ字型であり、曲げられた箇所は、シェービング明に向けて配向されている。従って、保持空洞の保持部分４５Ｆは、フックの相補的な形状をなし、その曲げられた箇所はシェービング面から離れるように配向される。
【００３９】
カートリッジ６０がシェーバーヘッド４０内に挿入される際、保持機能６５は、回転バー４５の保持部分４５Ｆと接触して、回転バー４５の保持部分４５Ｆによって係合される。図に示される例では、カートリッジに設けられた小さなフック６５は、回転バー４５の保持空洞４５Ｅ内に設けられた小さなフック４５Ｆとスナップ篏合し、従って、カートリッジ６０は、所定位置に係合され保持される。そのとき、回転バー４５はその中立位置にある。カートリッジ６０がシェーバーヘッド４０に挿入される際、放出ボタン５１及びその下にあるコイルバネ５２は圧縮される。
【００４０】
カートリッジ６０がシェーバーヘッド４０に挿入されると、カートリッジ６０は、好ましくは、シェーバーヘッド４０に対して一切動かない。シェーバーヘッド４０は、ハンドル２０に回動可能に取り付けられ、好ましくは、回動手段２２、４１がシェーバーヘッド４０に、かつ、ハンドル２０に設けられるが、カートリッジ６０には設けられない。
【００４１】
シェーバーヘッド４０に設けられた回転バー４５と、カートリッジ６０に設けられたホルダー６５と、を使用する上述の機構は、多くの利点をもたらす。従って、シェーバーヘッド４０及びハンドル２０は交換されないため、カートリッジ６０の価格は低くなり、その製造工程は簡略化され得、価格をリーズナブルにしたまま、それらがより堅牢に製造され得る。特に、ハンドル２０へのシェーバーヘッド４０の回動する取り付けを確実にする手段は、より信頼性が高く作られ得る。カートリッジのホルダー６５は、シェーバーヘッド４０の相補的な機能にスナップ篏合される。この環境は、コストを下げ、同時に、シェーバーヘッド４０へのカートリッジ６０の取り付けの信頼性を保つ。さらに、回転ロック４５の機械部品は、外側に向けないで設けられ、機械部品の損耗が低減され、回転バーの耐用年数が増え得る。
【００４２】
シェーバーヘッド４０及びカートリッジ６０にはガイドトラック４２Ａ及び６２Ａがそれぞれ設けられるため、シェーバーヘッド４０へのカートリッジ６０の挿入が簡単になり、カートリッジ６０の間違った挿入のリスクが低減される。
【００４３】
カートリッジ６０がシェーバーヘッド４０に取り付けられる際、放出ボタン５１及びコイルバネ５２は圧縮される。従って、カートリッジ６０が自由になる際、放出ボタン５１及びコイルバネ５２がカートリッジをシェーバーヘッド４０から離させる。
【００４４】
シェーバーヘッド４０に近接する、ハンドルの上部には、ボタン３０（図７ａ及び図７ｂ参照）がさらに設けられる。ボタン３０は、前端部３０Ａ及び後ろ端部３０Ｂを有する。ボタン３０は、通常、ハンドル２０の長手方向に平行な方向において滑動可能である。ボタン３０の滑動を確実にするために、一対のガイド３７が、ハンドル２０に近接する、ボタン３０の一部に設けられる。ガイド３７はハンドル２０の前部分に設けられたガイドトレイル２７Ｂと接触し、好ましくは、ガイド３７には、曲がった下部３７Ａが設けられ、これにより、それらがガイドトレイル２７Ｂから自由にならないことを確実にする。このように、ガイド３７は、ガイドトレイル２７Ｂと協働する際に、ボタン３０を通常ハンドル２０の長さと平行方向に滑動させ、ボタン３０が別の方向に動くことを防止し、また、ボタン３０がハンドル２０から自由になることを防止する。
【００４５】
ボタン３０は、ボタン３０の最上部に設けられる指受容領域３２を備える。図７ａから分かるように、指受容領域３２には、使用者の指が滑るのを防止するのに役立つ機能が装備される。使用者が彼／彼女の指でボタン３０と接触すると、彼／彼女は、シェーバーヘッド４０に向かう方向にボタン３０を押し得る。ボタン３０をその初期位置に戻すために、ボタン３０には、ハンドル２０に近接して、ボタン３０の後端部３０Ｂに位置するコイル台３５が設けられる。コイル台３５は、コイルバネ３６と協働する。ボタン３０が使用者に押される際に、コイルバネ３６は圧縮され、ボタン３０が解除されると、コイルバネはボタン３０をその元の位置に戻す。
【００４６】
ボタン３０は、プッシャー３１をさらに備える。プッシャー３１は、シェーバーヘッド４０に近接して、ボタンの前端部３０Ａに位置する。プッシャー３１は、シェーバーヘッド４０に方向においてボタン３０から延在する少なくとも１つの突出部の形状をなす。突出部３１の数は、好ましくは、回転バー４５に設けられた突出部４５Ａの数と一致する。好ましくは、一対の突出部がある。ボタン３０に設けられた突出部３１は、好ましくは、回転バー４５に設けられた突出部４５Ａと揃えて位置決めされる。
【００４７】
使用者がカートリッジ６０を交換することを所望すると、彼／彼女がボタン３０を押し、カートリッジ６０が自由になる。より具体的には、プッシャー３１の突出部が回転バー４５の突出部４５Ａと接触する。突出部４５Ａは、カートリッジ６０の最上壁６１に向かう方向において上方に移動される。従って、回転バー４５が回転される。回転バー４５が回転すると、カートリッジ６０上に設けられた保持機能６５は回転バー４５に設けられた保持空洞４５Ｅから解除される。図に示される例では、回転バー４５が回転すると、保持機能６５を形成するフックが保持部分６５を形成するフックから解除される。保持機能６５が保持空洞４５Ｅから自由になると、カートリッジ６０は、放出ボタン５１によってシェーバーヘッド４０から離れさせられる。放出ボタン５１は、カートリッジ６０が挿入される際に圧縮され、それが自由になるとカートリッジ６０を離させるコイルバネ５１によって作動する。回転バー４５の回転軸は、保持ペグ４２Ｂによって画定される。回転バー４５は、次いで、その板バネ５６によってその中立位置に戻される。
【００４８】
このように、使用者は、彼／彼女の指でカートリッジ６０を触る必要がなく、これにより、刃６３で使用者の指を切るリスクが低減される。
【符号の説明】
【００４９】
２２  軸受胴、取付部分
２３  間隙
２４  カム従動子
３０  ボタン
３２  コイルバネ
３５  コイル台
３６  コイルバネ
３７  ガイド
４０  シェーバーヘッド
４１  くぼみ
４５  回転バー
４５  保持機能
４６  底部
４６  ボタン部
５１  放出ボタン
５２  放出バネ、コイルバネ
５３  後開口
５４  スロット
５６  戻りバネ、板バネ
５７  空洞
６０  カートリッジ
【図１ａ】
2016500314.tif 000003
【図１ｂ】
2016500314.tif 000004
【図２ａ】
2016500314.tif 000005
【図２ｂ】
2016500314.tif 000006
【図３ａ】
2016500314.tif 000007
【図３ｂ】
2016500314.tif 000008
【図３ｃ】
2016500314.tif 000009
【図３ｄ】
2016500314.tif 000010
【図４ａ】
2016500314.tif 000011
【図４ｂ】
2016500314.tif 000012
【図４ｃ】
2016500314.tif 000013
【図４ｄ】
2016500314.tif 000014
【図４ｅ】
2016500314.tif 000015
【図５】
2016500314.tif 000016
【図６ａ】
2016500314.tif 000017
【図６ｂ】
2016500314.tif 000018
【図７ａ】
2016500314.tif 000019
【図７ｂ】
2016500314.tif 000020
【国際調査報告】
2016500314.tif 000021
2016500314.tif 000022